(57)【特許請求の範囲】
【請求項１】
鋼板の折り曲げによって形成され、ケラバの通気に用いられるケラバ通気部材であって、
垂木の上面に設置されると共に軒先方向に延びる第１平坦部と、前記第１平坦部の妻側の端部に接続され、上方に延びると共に第１の開口を有する第１仕切部とを含む第１部材と、
野地板の下面に設置されると共に軒先方向に延び、前記第１仕切部の上方端にその下面が当接する第２平坦部を含む第２部材とを備えたケラバ通気部材。
【請求項２】
前記第１仕切部は、前記第１平坦部の前記端部から垂直下方にガイド部として延びた後上方に折り曲げられて形成される請求項１記載のケラバ通気部材。
【請求項３】
前記第２部材は、前記第２平坦部の妻側とは反対側の端部に接続され、下方に延びると共に開口部を有する第１垂直部をさらに含み、
前記第１垂直部の下方端部は、前記第１平坦部の妻側とは反対側の端部に係合する請求項１又は２に記載のケラバ通気部材。
【請求項４】
前記第１部材は、前記第１平坦部の妻側とは反対側の端部に接続され、上方に延びると共に第２の開口を有する第２仕切部をさらに含み、
前記第２平坦部の下面は、前記第２仕切部の上方端に当接する請求項１に記載のケラバ通気部材。
【請求項５】
前記第１の開口及び前記第２の開口の各々は、同一の形状及び軒先方向に同一間隔で形成されると共に、平面視において千鳥状態に配置される請求項４に記載のケラバ通気部材。
【請求項６】
前記第１部材は、
前記第１仕切部の上方端部において妻側に延びるように接続された第３平坦部と、
前記第３平坦部の妻側の端部に接続され、その下方端部が前記第１平坦部の下面よりも下方に位置するまで垂直下方に延びると共に、第３の開口を有する第１垂下部とをさらに備えた請求項４又は請求項５に記載のケラバ通気部材。
【請求項７】
前記第１部材は、
前記第２仕切部の上方端部において妻側とは反対側に延びるように接続された第４平坦部と、
前記第４平坦部の妻側とは反対側の端部に接続されて垂直下方に延び、その下方端部が前記垂木に当接すると共に、第４の開口を有する第２垂下部とをさらに備えた請求項４〜請求項６のいずれかに記載のケラバ通気部材。
【発明の詳細な説明】
【技術分野】
【０００１】
本発明は、ケラバ通気部材に関し、特に切妻屋根を有するような建築物のケラバにおいてケラバの通気に用いられるケラバ通気部材に関する。
【背景技術】
【０００２】
図１３は、従来のケラバ通気部材を示す概略底面図であり、図１４は、図１３中ＸＩＶ−ＸＩＶ線で切断して矢印方向に見た概略断面図である。
【０００３】
これらの図に示すように、従来のケラバ通気部材７１は、建築物のケラバの通気に用いられ、合成樹脂を折り曲げて形成され、図示しない軒先方向に延びる第１平坦部７４と第１平坦部７４の図示しない妻側の端部に接続されて垂直下方に延びるガイド部７５とからなる第１部材７３と、第１平坦部７４の上面に当接して、重ねて設置された２枚の中空構造板８３ａ，８３ｂと、合成樹脂を折り曲げて形成され、その下面が中空構造板８３ｂの上面に当接する第２平坦部７９及び第２平坦部の図示しない妻側の端部に接続されて垂直下方に延びる垂直部８０とからなる第２部材７８とを備えている。
【０００４】
中空構造板８３ａは、合成樹脂からなるプレートに多数の中空円錐台８７を、図１３の破線で示したように平面視で千鳥状態となるように成形加工された通気プレート８６と、通気プレート８６の中空円錐台８７群の下面開口側全面に熱接着させた下面材８５と、通気プレートの中空円錐台８７群の上面側全面に熱接着させた上面材８４とから構成されている。なお、中空構造板８３ｂは、中空構造板８３ａと同一形状であり、中空構造板８３ａの上方に重ねて設置される。
【０００５】
図１５は、一般的な切妻屋根を有する建築物の妻側を示す概略図であり、図１６は、図１５で示したＸＩＶ−ＸＩＶ線で切断して矢印方向に見た概略断面図であって、図１３及び図１４で示したケラバ通気部材を建築物に設置した状態を示す図である。
【０００６】
設置に際して、これらの図に示すように、ケラバ通気部材７１は、第１部材７３の第１平坦部７４の下面が建築物１の垂木５の上面に当接すると共に、第２部材７８の第２平坦部７９の上面が野地板８の下面に当接するように設置される。
【０００７】
使用に際して、図１６に示した実線矢印のように、妻側２に位置する胴縁６３間に入った外気が、ケラバ通気部材７１の第２部材７８の垂直部８０と透湿防水シート６２との間を介して、中空構造板８３ａ，８３ｂの中空円錐台８７群の間を通り抜けるようにして、小屋裏１０へと通気できる。
【０００８】
なお、換気機能付の屋根構造は様々なものが知られている（例えば、特許文献１参照。）。
【先行技術文献】
【特許文献】
【０００９】
【特許文献１】特開２０１１−０３２８５６号公報
【発明の概要】
【発明が解決しようとする課題】
【００１０】
上述したケラバ通気部材では、次のような問題があった。すなわち、ケラバ通気部材７１は、千鳥状態に配置された中空円錐台８７群からなる中空構造板８３ａ，８３ｂにより構成されたものであるため、外気がこの中空構造板８３ａ，８３ｂの中空円錐台８７群の間を通り抜けにくいものとなっており、通気機能が不安定であった。
【００１１】
また、図１６に示すように、ケラバ通気部材７１の第２部材７８の上面は、野地板８に当接しており、第２部材７８の上方からケラバ通気部材７１に対して、野地板８等による荷重が常に加わった状態にある。ここで、ケラバ通気部材７１を構成する第１部材７３、第２部材７８、中空構造板８３ａ，８３ｂは、いずれも合成樹脂から形成されるものであった。そのため、ケラバ通気部材７１は、野地板８等の荷重により変形する虞があり、通気機能の信頼性に欠けるものであった。
【００１２】
そこで本発明は、通気機能が安定すると共に、通気機能の信頼性が向上するケラバ通気部材を提供することを目的としている。
【課題を解決するための手段】
【００１３】
前記課題を解決し目的を達成するために、本発明のケラバ通気部材は次のように構成されている。
【００１４】
鋼板の折り曲げによって形成され、ケラバの通気に用いられるケラバ通気部材であって、垂木の上面に設置されると共に軒先方向に延びる第１平坦部と、前記第１平坦部の妻側の端部に接続され、上方に延びると共に第１の開口を有する第１仕切部とを含む第１部材と、野地板の下面に設置されると共に軒先方向に延び、前記第１仕切部の上方端にその下面が当接する第２平坦部を含む第２部材とを備えている。
【発明の効果】
【００１５】
本発明によれば、通気機能が安定すると共に、通気機能の信頼性が向上する。
【図面の簡単な説明】
【００１６】
【図１】本発明の第１の実施の形態に係るケラバ通気部材の概略構成を示す底面図。
【図２】同ケラバ通気部材の組立工程の概略構成を示す右側面図。
【図３】同ケラバ通気部材の概略構成を図１におけるＩＩＩ−ＩＩＩ線で切断して矢印方向に見た断面図。
【図４】同ケラバ通気部材を建築物に設置した状態の概略構成を示す断面図。
【図５Ａ】同ケラバ通気部材の設置工程の一部の概略を示す断面図。
【図５Ｂ】同ケラバ通気部材の設置工程の一部の概略を示す断面図。
【図５Ｃ】同ケラバ通気部材の設置工程の一部の概略を示す断面図。
【図６Ａ】同ケラバ通気部材の設置工程の一部の概略を示す断面図。
【図６Ｂ】同ケラバ通気部材の設置工程の一部の概略を示す断面図。
【図６Ｃ】同ケラバ通気部材の設置工程の一部の概略を示す断面図。
【図７】本発明の第２の実施の形態に係るケラバ通気部材の概略構成を示す底面図。
【図８】同ケラバ通気部材の組立工程の概略構成を示す右側面図。
【図９】同ケラバ通気部材の概略構成を図８におけるＩＸ−ＩＸ線で切断して矢印方向に見た断面図。
【図１０】同ケラバ通気部材の概略構成を図８におけるＸ−Ｘ線で切断して矢印方向に見た断面図。
【図１１】同ケラバ通気部材の概略構成を図８におけるＸＩ−ＸＩ線で切断して矢印方向に見た断面図。
【図１２】同ケラバ通気部材を建築物に設置した状態の概略構成を示す断面図。
【図１３】ケラバ通気部材の一例の概略構成を示す底面図。
【図１４】同ケラバ通気部材の概略構成を図１３におけるＸＩＶ−ＸＩＶ線で切断して矢印方向に見た断面図。
【図１５】一般的な切妻屋根を有する建築物の妻側を概略的に示す説明図。
【図１６】同ケラバ通気部材を建築物に設置した状態の概略構成を図１３におけるＸＶＩ−ＸＶＩ線で切断して矢印方向に見た断面図。
【発明を実施するための形態】
【００１７】
図１は本発明の第１の実施の形態に係るケラバ通気部材の概略構成を示す底面図、図２は同ケラバ通気部材の組立工程の概略構成を示す右側面図、図３は同ケラバ通気部材の概略構成を図１におけるＩＩＩ−ＩＩＩ線で切断して矢印方向に見た断面図、図４は同ケラバ通気部材を建築物に設置した状態の概略構成を示す断面図である。
【００１８】
これらの図に示すように、ケラバ通気部材１１は、建築物１のケラバの通気に用いられ、鋼板の折り曲げによって形成されるものであって、垂木５の上面に設置される第１部材１６と、野地板８の下面に設置され、後述するように第１部材１６と一体化される第２部材５２とから構成される。
【００１９】
ケラバ通気部材１１の第１部材１６は、垂木５の上面にその下面が当接して設置され、軒先（図１５参照）方向に延びる第１平坦部１７と、第１平坦部１７の妻側２とは反対側の端部で妻側２に折り返すように形成された折返部１８と、第１平坦部１７の妻側２の端部から垂直下方にガイド部２１として延びた後で上方に折り曲げて形成され、第１の開口２０を有する第１仕切部１９と、第１仕切部１９の上方端部から妻側２方向に延びる第３平坦部２６と、第３平坦部２６の上面に貼り付けられた両面テープ２８とを備えている。
【００２０】
ケラバ通気部材１１の第２部材５２は、野地板８の下面にその上面が当接して設置され、軒先（図１５参照）方向に延びる第２平坦部５３と、第２平坦部５３の妻側２の端部から垂直下方に延びる第２垂直部５９と、第２平坦部５３の妻側２とは反対側の端部で垂直下方に延び、開口部５６を有する第１垂直部５５と、第１垂直部５５の下方端部で妻側２とは反対側方向に折り返すように形成された折返部５７とを備えている。
【００２１】
図２及び図３に示すように、二点鎖線で示すケラバ通気部材１１の第１部材１６と第２部材５２とを、二点鎖線矢印Ｑで示す方向に合わせるようにして、第１部材１６の折返部１８と第２部材５２の折返部５７とを係合させつつ、第１部材１６の第１仕切部１９の上方端に位置する両面テープ２８で第２平坦部５３の下面に接着させて一体化させる。このように構成することにより、ケラバ通気部材１１は、第１部材１６の第１仕切部１９によって第１部材１６と第２部材５２との間隔が保持されたものとなる。また、第１部材１６の折返部１８と第２部材５２の折返部５７とを係合させて、第１部材１６と第２部材５２とを一体化させることにより、第１部材１６と第２部材５２との間隔がより安定して保持されることになる。
【００２２】
また、図２に示すように、ケラバ通気部材１１において、第１部材１６の第１仕切部１９の第１の開口２０の各々は、第２部材５２の第１垂直部５５の開口部５６の各々と、同一の形状及び軒先３方向（図２の左右方向）に同一間隔で形成されている。
【００２３】
これらにより、使用に際して、図４に示すように、実線矢印Ｆで示したように、胴縁６３間に入った外気が、ケラバ通気部材１１の第２部材５２の第２垂直部５９と透湿防水シート６２との間を介して、第１仕切部１９の第１の開口２０に入り、第１垂直部５５の開口部５６から小屋裏１０へ通気しやすくなる。また、図１３で示した従来のケラバ通気部材７１と比べて、この第１の実施の形態のケラバ通気部材１１には、第１部材１６と第２部材５２との間に中空構造板８３ａ，８３ｂが無いので、通気機能が安定する。通気機能が安定することにより、胴縁６３間や小屋裏１０における結露防止効果も向上することになる。さらに、図３で示すように、第１の開口２０の下端位置は、第１平坦部１７の上面よりも上方位置となるように形成されている。このように形成することで、図４に示すように、軒のない妻側２においては雨水が直接破風６６やサイディング６５に当たりやすく、胴縁６３間に雨水等が浸入する虞があるが、この場合にもその雨水等が小屋裏１０方向に浸入しないように防止している。
【００２４】
次に、ケラバ通気部材１１の建築物１への設置工程について説明する。
【００２５】
図５Ａ，５Ｂ，５Ｃは同ケラバ通気部材の設置工程の一部の概略を示す断面図、図６Ａ，６Ｂ，６Ｃは同ケラバ通気部材の設置工程の一部の概略を示す断面図である。
【００２６】
設置に際しては、まず図５Ａに示すように、ケラバ通気部材１１の第２部材５２の第１垂直部５５の高さがＨ２であるとき、ケラバ通気部材１１の設置対象となる垂木５の高さＨ１（母屋７の上面からの高さ）は、他の垂木６の高さＨ３よりも高さＨ２だけ短くする。そして、建築物１の妻側２に位置する垂木５に対して、上方から釘等によって、ケラバ通気部材１１を固定する。その際、ケラバ通気部材１１の第１仕切部１９のガイド部２１を、垂木５の妻側２の側面に当接させる。このようにすることで、ケラバ通気部材１１のガイド部２１は、垂木５に対して設置基準になるので、設置作業が容易となる。
【００２７】
次に、図５Ｂに示すように、構造用合板６１を、ケラバ通気部材１１のガイド部２１に、その上部が当接するように、垂木５等を固定する。
【００２８】
そして、図５Ｃに示すように、野地板８を、上方からケラバ通気部材１１及び垂木６に固定する。その際、図５Ｂに示すように、垂木５に設置されたケラバ通気部材１１の高さは、他の垂木６と同一の高さＨ３となっており、野地板８を設置する際に、傾きが生じない。
【００２９】
図６Ａに示すように、透湿防水シート６２を、構造用合板６１の外面に設置する。
【００３０】
そして、図６Ｂに示すように、胴縁６３の上端がケラバ通気部材１１の第２垂直部５９の下端に当接するように、胴縁６３を設置する。
【００３１】
その後、図６Ｃに示すように、サイディング６５及び破風６６を妻側２に設置し、ルーフィング６８、のぼり木６４、ケラバ水切６７及びコロニアル６９等を野地板８に設置する。ここで、ケラバ通気部材１１は、当接している野地板８を介して、上方から荷重がかかった状態となる。しかし、ケラバ通気部材１１を構成する第１部材１６及び第２部材５２は、いずれも鋼板から形成されたものであるので、図１３で示した合成樹脂から形成された従来のケラバ通気部材７１に比べて、変形する虞が少なく、通気機能の信頼性が向上する。
【００３２】
図７は本発明の第２の実施の形態に係るケラバ通気部材１２の概略構成を示す底面図、図８はケラバ通気部材１２の組立工程の概略構成を示す右側面図、図９ケラバ通気部材１２の概略構成を図８におけるＩＸ−ＩＸ線で切断して矢印方向に見た断面図、図１０はケラバ通気部材１２の概略構成を図８におけるＸ−Ｘ線で切断して矢印方向に見た断面図、図１１はケラバ通気部材１２の概略構成を図８におけるＸＩ−ＸＩ線で切断して矢印方向に見た断面図、図１２はケラバ通気部材１２を建築物に設置した状態の概略構成を示す断面図である。
【００３３】
なお、この第２の実施の形態におけるケラバ通気部材１２は、上述した第１の実施の形態におけるケラバ通気部材１１と同一用途で用いられるものであり、基本的な構成は共通するものである。ここでは、その相違点を中心に説明する。
【００３４】
図７〜図１２に示すように、ケラバ通気部材１２の第１部材１６は、垂木５の上面に設置される第１平坦部１７と、第１平坦部１７の妻側２の端部に接続され、上方に延びると共に第１の開口２０を有する第１仕切部１９と、第１仕切部１９の上方端部において妻側２に延びるように接続され、リベット孔２７が設けられた第３平坦部２６と、第３平坦部２６の妻側２の端部に接続され、その下方端部が第１平坦部１７の下面よりも下方に位置するまで垂直下方に延びると共に、第３の開口３２を有する第１垂下部３１と、第１平坦部１７の妻側２とは反対側の端部に接続され、上方に延びると共に第２の開口２４を有する第２仕切部２３と、第２仕切部２３の上方端部において妻側２とは反対側に延びるように接続され、リベット孔３０が設けられた第４平坦部２９と、第４平坦部２９の妻側２とは反対側の端部に接続されて垂直下方に延び、その下方端が垂木５に当接すると共に、第４の開口３６を有する第２垂下部３５と、第２垂下部３５の下方端部に接続され、妻側２に折り曲げるように形成された折曲部３８とを備えている。このように構成された理由については後述する。
【００３５】
ケラバ通気部材１２の第２部材５２は、野地板８の下面に設置され、リベット孔５４が設けられた第２平坦部５３と、第２平坦部５３の妻側２の端部に接続され、垂直下方に延びる第２垂直部５９と、第２垂直部５９の下方端部に接続され、妻側２とは反対側に折り曲げるように形成された折曲部６０とを備えている。
【００３６】
図８及び図９に示すように、二点鎖線で示すケラバ通気部材１２の第１部材１６と第２部材５２とを、二点鎖線矢印Ｓで示す方向に合わせるようにして、第１部材１６の第３平坦部２６の上面を第２部材５２の第２平坦部５３の下面に当接させつつ、同時に、第４平坦部２９の上面を第２部材５２の第２平坦部５３の下面に当接させる。そして、この状態を保持するために、上方からリベット４５ａを、第２平坦部５３のリベット孔５４ａと第４平坦部２９のリベット孔３０とに挿し込んで接合する（二点鎖線矢印Ｒ）。同様にして、リベット４５ｂを、第２平坦部５３のリベット孔５４ｂと第３平坦部２６のリベット孔２７とに挿し込んで接合する（二点鎖線矢印Ｒ）。これにより、ケラバ通気部材１２の第１部材１６と第２部材５２とを一体化させる。このように構成することにより、ケラバ通気部材１２は、第１仕切部１９、第２仕切部２３及び第２垂下部３５によって、第１部材１６と第２部材５２との間隔がより一層安定して保持されたものとなっている。そのため、通気機能がより一層安定することになる。
【００３７】
図１１に示すように、ケラバ通気部材１２において、第１仕切部１９の第１の開口２０及び第２仕切部２３の第２の開口２４の各々は、同一形状及び軒先３方向（図１１の左右方向）に同一間隔で形成されていると共に、平面視において千鳥状態に配置されている。また、第１垂下部３１の第３の開口３２の各々は、第２仕切部２３の第２の開口２４の各々と対応して、同一の形状及び軒先３方向（図１１の左右方向）に同一間隔で形成されている。さらに、第２垂下部３５の第４の開口３６の各々は、第１仕切部１９の第１の開口２０の各々と対応して、同一の形状及び軒先３方向（図１１の左右方向）に同一間隔で形成されている。このように構成することにより、通気抵抗が各開口において略変わらないことになるので、図１１中の実線矢印Ｔで示したように、第２垂直部５９を介して入ってきた外気は、各開口を通り、図示しない小屋裏１０（図１１の下方）方向へと通気できる。
【００３８】
また、上述のように各開口が、図１１で示したように平面視において千鳥状態に配置されているため、図１１を貫通する方向（図１２の上下方向）に対するケラバ通気部材１２の各仕切部材全体の第２平坦部５３の保持効果が安定することになる。これにより、図１２に示すように、野地板８等による上方からの荷重に対して、ケラバ通気部材１２は変形する虞が少なくなり、通気機能の信頼性が更に向上するものである。
【００３９】
設置に際して、図１２に示すように、ケラバ通気部材１２を建築物１の妻側２に位置する垂木５に対して固定する際に、ケラバ通気部材１２の第１垂下部３１の下方端部を、垂木５の妻側２の側面に当接させるようにして、垂木５の上面に、ケラバ通気部材１２の第１平坦部１７の下面及び折曲部３８の下面を当接させる。このようにすることで、ケラバ通気部材１２の第１垂下部３１の下方端部が、垂木５に対して設置基準になるので、設置作業が容易となる。
【００４０】
また、胴縁６３を図１２に示すように、透湿防水シート６２に設置する際に、胴縁６３の上面がケラバ通気部材１２の折曲部６０の下面に当接するようにして設置する。これにより、図１で示したケラバ通気部材１１と比べて、折曲部６０が胴縁６３の安定した設置基準として機能する。さらに、図１２の下方からの雨水等の浸入を、ケラバ通気部材１２の折曲部６０により防止することにもなる。
【００４１】
なお、上記の各実施の形態では、ケラバ通気部材の第１仕切部は、その上方端部において第２平坦部と当接する第３平坦部が形成されていたが、第１仕切部の上方端が第２平坦部の下面と当接するものであれば、第３平坦部は無くても良い。
【００４２】
また、上記の第１の実施の形態では、ケラバ通気部材は、両面テープを有するものであったが、それ以外を用いて第１部材と第２部材とを一体化させてもよい。
【００４３】
さらに、上記第１の実施の形態では、ケラバ通気部材の第１仕切部は、垂直下方にガイド部として延びた後上方に折り曲げられて形成されるものであったが、ガイド部は形成されていなくても良い。
【００４４】
さらに、上記の各実施の形態では、ケラバ通気部材の第２部材は、第２垂直部と有するものであったが、第２垂直部は無くてもよい。
【００４５】
さらに、上記の第１の実施の形態では、ケラバ通気部材は、折曲部によって第１部材と第２部材とを係合させるものであったが、それ以外の方法で第１部材と第２部材とを係合させても良い。または、折曲部は無くても良い。
【００４６】
さらに、上記の第１の実施の形態では、ケラバ通気部材は、第１垂直部を有するものであったが、第１垂直部は無くてもよい。
【００４７】
さらに、上記の第１の実施の形態では、ケラバ通気部材は、第１の開口及び第２の開口の各々は特定の形状及び配置であったが、それ以外の形状及び配置であってもよい。
【００４８】
さらに、上記の第２の実施の形態では、ケラバ通気部材の第２部材は、折曲部を有するものであったが、折曲部は無くてもよい。
【００４９】
さらに、上記の第２の実施の形態では、ケラバ通気部材は、リベットを用いて第１部材と第２部材とを係合させるものであったが、それ以外の方法で第１部材と第２部材とを係合させてもよい。
【００５０】
さらに、上記の第２の実施の形態では、ケラバ通気部材の第１部材は、第２仕切部を有するものであったが、第２仕切部は無くても良い。
【００５１】
さらに、上記の第２の実施の形態では、ケラバ通気部材の第１部材は、第１垂下部を有するものであったが、第１垂下部は無くても良い。
【００５２】
さらに、上記の第２の実施の形態では、ケラバ通気部材の第１部材は、第２垂下部を有するものであったが、第２垂下部は無くても良い。
【００５３】
さらに、上記の第２の実施の形態では、ケラバ通気部材の第１部材は、第４平坦部を有するものであったが、第４平坦部は無くても良い。
【００５４】
さらに、上記の第２の実施の形態では、ケラバ通気部材の第１垂下部は、その下方端部が第１平坦部の下面よりも下方に位置するものであったが、第１平坦部の下面よりも上方に位置しても良い。
【００５５】
さらに、上記の第２の実施の形態では、ケラバ通気部材は、第１の開口及び第２の開口の各々は特定の形状及び配置であったが、それ以外の形状及び配置であってもよい。
【００５６】
なお、本発明は前記実施の形態に限定されるものではなく、この他、本発明の要旨を逸脱しない範囲で種々変形実施可能であるのは勿論である。
【符号の説明】
【００５７】
１…建築物、２…妻側、３…軒先、５…垂木、８…野地板、１１，１２…ケラバ通気部材、１６…第１部材、１７…第１平坦部、１９…第１仕切部、２０…第１の開口、２１…ガイド部、２３…第２仕切部、２４…第２の開口、２６…第３平坦部、２９…第４平坦部、３１…第１垂下部、３２…第３の開口、３５…第２垂下部、３６…第４の開口、５２…第２部材、５３…第２平坦部、５５…第１垂直部、５６…開口部。
【図１】
0006472002.tif 000002
【図２】
0006472002.tif 000003
【図３】
0006472002.tif 000004
【図４】
0006472002.tif 000005
【図５Ａ】
0006472002.tif 000006
【図５Ｂ】
0006472002.tif 000007
【図５Ｃ】
0006472002.tif 000008
【図６Ａ】
0006472002.tif 000009
【図６Ｂ】
0006472002.tif 000010
【図６Ｃ】
0006472002.tif 000011
【図７】
0006472002.tif 000012
【図８】
0006472002.tif 000013
【図９】
0006472002.tif 000014
【図１０】
0006472002.tif 000015
【図１１】
0006472002.tif 000016
【図１２】
0006472002.tif 000017
【図１３】
0006472002.tif 000018
【図１４】
0006472002.tif 000019
【図１５】
0006472002.tif 000020
【図１６】
0006472002.tif 000021